(57)【要約】【課題】  ランダム再生の際、再生情報を記憶する再生情報記憶部の記憶容量を増大させることなく効率的にランダム再生を行うことができる「オーディオ装置」を提供することである。【解決手段】  記憶メディア３１に記憶されている楽曲数が所定値以下のとき、ランダム選択部１３は再生情報記憶部２７に記憶された楽曲情報以外の楽曲情報をランダムに選択し、楽曲データ再生部１５はランダム選択された楽曲情報に対応する楽曲データを記憶メディア３１から取得し再生する。また、再生情報記憶部２７は再生中の楽曲データに対応する楽曲情報を記憶する。【選択図】  図１
2008243253.tif 000002
【特許請求の範囲】
【請求項１】
楽曲データと該楽曲データを識別するための識別情報が複数記憶されている楽曲データ記憶部から楽曲データを取得して再生するオーディオ装置において、
ランダム再生モードを設定する操作部と、
前記ランダム再生モードが設定されているとき、前記複数の識別情報のうち、１つの識別情報をランダムに選択するランダム選択部と、
前記ランダム選択部により選択された識別情報に対応する楽曲データを再生する再生部と、
前記再生部により再生されている楽曲データに対応する識別情報を記憶する記憶部と、
前記ランダム再生モードが設定されたとき、前記楽曲データ記憶部に記憶されている楽曲数が所定値以下であるか否か判定する判定部と、を備え、
前記判定部により、前記楽曲データ記憶部に記憶されている楽曲数が所定値以下であると判定された場合、前記ランダム選択部は前記記憶部に記憶された識別情報以外の識別情報をランダムに選択し、前記再生部は選択された識別情報に対応する楽曲データを再生し、前記記憶部は再生中の楽曲データに対応する識別情報を記憶する、
ことを特徴とするオーディオ装置。
【請求項２】
前記識別情報は前記楽曲データに関連する楽曲情報である、
ことを特徴とする請求項１記載のオーディオ装置。
【発明の詳細な説明】
【技術分野】
【０００１】
本発明は、オーディオ装置及びその再生方法に関し、特に、楽曲データと該楽曲データを識別するための識別情報が複数記憶されている楽曲データ記憶部から楽曲データを取得して再生するオーディオ装置に関する。
【背景技術】
【０００２】
近年、楽曲データを記憶する記憶媒体として、ＣＤ、ＤＶＤ、ハードディスク、ＵＳＢメモリなどの記憶メディアが多用されるに至っている。また、記憶メディアには、楽曲データと共に、楽曲データを識別するための楽曲情報（アーティスト名、アルバム名、タイトル名等）が記憶されている。これらの記憶メディア内の楽曲データを再生するオーディオ装置において、楽曲データを再生する方法には、記憶メディアに記憶される楽曲データに関連する楽曲情報の順位に従って楽曲データを再生する方法、及び再生する順序をボタン操作等によってユーザが入力し、ユーザの入力した指示に従った順序で楽曲データを再生する方法がある。
【０００３】
しかし、上記の方法によって楽曲データを再生する場合、常に同じ順序で楽曲データが再生されるので、ユーザが飽きるという問題がある。そのため、上記のオーディオ装置には、記憶メディアに記憶されている楽曲情報を読み出し、楽曲情報に基づいて楽曲データの再生順序をランダムに設定するランダム再生モードを備えている。また、ランダム再生の一般的な方法として、記憶メディアに記憶されている複数の楽曲データの全てが再生完了するまでは、同一の楽曲データを重複しないようにするものがある（特許文献１参照）。
【特許文献１】特開２００２−１９０１８７号公報
【０００４】
図６は、従来のランダム再生モードを備えるオーディオ装置のランダム再生処理のフローチャートである。
ステップＳ１では、ランダム再生モードが設定されているか否かを判断する。ランダム再生モードが設定されている状態であれば、ステップＳ３に進み、ランダム再生モードが設定されていない状態であれば、ステップＳ１に戻り、ランダム再生モードが設定されているか否かを判断を再び行う。ステップＳ３では、再生情報記憶部（ＲＡＭ）に記憶されている楽曲情報以外の楽曲情報をランダムに選択する。ステップＳ５では、ランダム選択された楽曲情報に関連する楽曲データを再生する。ステップＳ７では、再生中の楽曲データに関連する楽曲情報が、既に再生完了した楽曲データに関連する楽曲情報に追加して再生情報記憶部に記憶される。ステップＳ９では、再生情報記憶部に記憶された楽曲情報の数が、記憶メディアの総楽曲数に到達したか否か判断される。即ち、ステップＳ９では、記憶メディアに記憶されている全ての楽曲データが再生されたか否か判断される。再生情報記憶部に記憶された楽曲情報の数が、記憶メディアに記憶されている総楽曲数に到達したときはステップＳ１１に進み、到達していないときはステップＳ１３に進む。ステップＳ１１では、再生情報記憶部に記憶されている楽曲情報を消去する。ステップＳ１３では、楽曲データの再生が完了したか否か判断される。楽曲データの再生が完了しているとき、上記ステップＳ３に戻り、楽曲データに関連する楽曲情報のランダム選択が実行され、以降のステップに進む。楽曲データの再生が完了していないとき、ステップＳ１３に戻り、楽曲データの再生が完了したか否か、再び判断される。
【発明の開示】
【発明が解決しようとする課題】
【０００５】
ところで、近年、ハードディスクやＵＳＢメモリ等の記憶メディアは大容量化が進み、数千から数万曲の楽曲データが記憶可能となっている。そのため、上記ランダム再生を行うには、再生情報記憶部の記憶容量も数千から数万曲の楽曲情報を記憶可能な容量が必要となっていた。
【０００６】
本発明の目的は、ランダム再生の際、再生情報を記憶する再生情報記憶部の記憶容量を増大させることなく効率的にランダム再生を行うことができるオーディオ装置を提供することである。
【課題を解決するための手段】
【０００７】
本発明は、楽曲データと該楽曲データを識別するための識別情報が複数記憶されている楽曲データ記憶部から楽曲データを取得して再生するオーディオ装置であり、ランダム再生モードを設定する操作部と、前記ランダム再生モードが設定されているとき、前記複数の識別情報のうち、１つの識別情報をランダムに選択するランダム選択部と、前記ランダム選択部により選択された識別情報に対応する楽曲データを再生する再生部と、前記再生部により再生されている楽曲データに対応する識別情報を記憶する記憶部と、前記ランダム再生モードが設定されたとき、前記楽曲データ記憶部に記憶されている楽曲数が所定値以下であるか否か判定する判定部と、を備え、前記判定部により、前記楽曲データ記憶部に記憶されている楽曲数が所定値以下であると判定された場合、前記ランダム選択部は前記記憶部に記憶された識別情報以外の識別情報をランダムに選択し、前記再生部は選択された識別情報に対応する楽曲データを再生し、前記記憶部は再生中の楽曲データに対応する識別情報を記憶する。また、前記識別情報は前記楽曲データに関連する楽曲情報である。
【発明の効果】
【０００８】
本発明によれば、楽曲データ記憶部に記憶されている楽曲数が所定値以下のとき、ランダム選択部は記憶部に記憶された識別情報以外の識別情報をランダムに選択し、再生部は選択された識別情報に対応する楽曲データを再生し、記憶部は再生中の楽曲データに対応する識別情報を記憶するようにしたため、楽曲データ記憶部の楽曲数が所定値以下の場合、同一の楽曲データがランダム再生されないようにすることができ、かつ再生情報を記憶する再生情報記憶部の記憶容量を増大させることなく効率的にランダム再生を行うことができる。
【発明を実施するための最良の形態】
【０００９】
本実施例では、オーディオ装置の好ましい一例として車載オーディオ装置を用いる。車載オーディオ装置は、記憶メディアを接続し、そこに記憶された楽曲データを再生する機能を備える。記憶メディアは、ＵＳＢメモリ、ＣＤやＤＶＤ等のディスクドライブ装置、ハードディスクドライブ装置等の記憶媒体を含むデバイスであり、車載オーディオ装置において再生可能な楽曲データを記憶するものであればよい。楽曲データの記憶形式は、ＭＰ３やＷＭＡのようなフォーマットで圧縮されたものであってもよい。また、記憶メディアは、それ自身が再生機能を持たず、楽曲データのみを記憶し、それを提供するものであってもよいし、それ自身が楽曲データを再生する機能を備えるものであってもよい。
【００１０】
・車載オーディオ装置の構成
図１は、本発明に係る車載オーディオ装置の構成を示すブロック図である。
楽曲データ記憶手段としての記憶メディア３１は、車載オーディオ装置に接続され、制御部３３、データの送受信を行う通信部３５、図２に示すような複数の楽曲ファイルを記憶する記憶部３７により構成される。この楽曲ファイルは、楽曲データと楽曲データに関連付けられた楽曲情報（アーティスト名、アルバム名、タイトル名、ジャンル名等）とが含まれている。制御部３３は、記憶メディア３１の動作全体を制御するものであり、ＣＰＵ、ＲＯＭ、ＲＡＭなどから構成される。車載オーディオ装置１は、記憶メディア３１を接続するための通信部３、各部を制御する制御部５、制御部５が記憶メディア３１から読み取った楽曲データをオーディオ信号として生成して増幅するアンプ１７、増幅されたオーディオ信号を可聴音に変換するスピーカ１９、記憶メディア３１の楽曲データに関する楽曲情報等を表示する表示部２１、タッチパネルやリモートコントローラ等を含みユーザがランダム再生モードの設定等の操作を行う操作部２３、記憶メディア３１の楽曲データに関する楽曲リストを一時記憶する楽曲情報記憶部２５、ランダム再生により再生された楽曲データに関する楽曲情報を記憶する再生情報記憶部２７を備えている。
【００１１】
ここで、前述した制御部５の構成を詳細に説明する。
制御部５は、車載オーディオ装置１に接続される記憶メディア３１を認識するメディア認識部７、記憶メディア３１に記憶された楽曲データに対応付けて記憶されている楽曲情報（アーティスト名、アルバム名、タイトル名、ジャンル名等）を取得し、楽曲リストとして楽曲情報記憶部２５に記憶する楽曲情報取得部９、ランダム再生が指示された際、記憶メディア３１に記憶されている楽曲ファイル数が所定値以下であるか判定する楽曲数判定部１１、ランダム再生が指示された際に、記憶メディア３１の楽曲ファイルをランダムに選択するランダム選択部１３、記憶メディア３１から楽曲データを取得する楽曲データ取得部１５を備える。また、楽曲情報取得部９により作成された楽曲リストは、表示部１７に表示され、ユーザの楽曲データ検索に用いられる。
【００１２】
・車載オーディオ装置のランダム再生処理
図３、図４は、本発明に係る車載オーディオ装置のランダム再生処理動作を示すフローチャートであり、図５は、ランダム再生された楽曲データに関する楽曲情報が再生情報記憶部２７に記憶された状態を示す図である。また、制御部５の制御により、記憶メディア３１の接続が認識され、図２に示すような楽曲リストが楽曲情報記憶部２５に記憶されているものとする。
まず、制御部５は、操作部２３からユーザによりランダム再生モードが設定されているか否かが判定する（ステップＳ２１）。ステップＳ２１により、ランダム再生モードが設定されていない判定されれば、ステップＳ２１に戻り、ランダム再生モードが設定されているか否かの判定を再び行う。一方、ステップＳ２１により、ランダム再生モードが設定されていると判定されれば、楽曲数判定部１１は、記憶メディア３１内の楽曲数が所定数以下（例えば１００曲以下）であるか否か判定する（ステップＳ２３）。ステップＳ２３により、記憶メディア３１内の楽曲数が所定数以下であると判定されれば、ランダム選択部１３は、再生情報記憶部２７に記憶されている楽曲情報以外の楽曲情報を楽曲情報記憶部２５からランダムに選択する（ステップＳ２５）。そして、制御部５は、ランダム選択部１３によりランダム選択された楽曲情報を再生情報記憶部２７に記憶する（ステップＳ２７）。これにより、例えば、ランダム選択部１３が、楽曲情報記憶部２５から楽曲情報５１、５３、５５（図２）の順に選択した場合、図５に示すように楽曲情報が再生情報記憶部２７に記憶される。また、このとき、楽曲データ取得部１５はランダム再生部１３によりランダム選択された楽曲情報に関連する楽曲データを取得し、取得された楽曲データはアンプ１７を介してスピーカ１９により出力される（ステップＳ２９）。その後、制御部５は、楽曲データが再生完了したか否かを判定する（ステップＳ３１）。ステップＳ３１により、楽曲データが再生完了していないと判定されれば、ステップＳ２９に戻り、楽曲データ再生を継続する。一方、ステップＳ３１により、楽曲データが再生完了していると判定されれば、制御部５は、再生情報記憶部２７に記憶されている楽曲情報の数が記憶メディア３１に記憶されている総楽曲数に到達したか否か判定する（ステップＳ３３）。ステップＳ３３により、再生情報記憶部２７に記憶されている楽曲情報の数が記憶メディア３１に記憶されている総楽曲数に到達していると判定されれば、制御部５は、再生情報記憶部２７に記憶されている楽曲情報を消去してステップＳ２５に戻る（ステップＳ３５）。一方、ステップＳ３３により、再生情報記憶部２７に記憶されている楽曲情報の数が記憶メディア３１に記憶されている総楽曲数に到達していないと判定されれば、ステップＳ２５に戻る。
【００１３】
また、ステップＳ２３において、記憶メディア３１内の楽曲数が所定数以下でないと判定されれば、ランダム選択部１３は、楽曲情報記憶部２５に記憶されている楽曲情報をランダムに選択する（ステップＳ３７）。そして、楽曲データ取得部１５は、ランダム再生部１３によりランダム選択された楽曲情報に関連する楽曲データを取得し、取得された楽曲データはアンプ１７を介してスピーカ１９により出力される（ステップＳ３９）。その後、制御部５は、楽曲データが再生完了したか否かを判定する（ステップＳ４１）。ステップＳ４１により、楽曲データが再生完了していないと判定されれば、ステップＳ３９に戻り、楽曲データ再生を継続する。ステップＳ４１により、楽曲データが再生完了していると判定されれば、ステップＳ３７に戻る。
上記処理により、記憶メディア３１の記憶されている楽曲数が所定値以下であるか判定し、この楽曲数が所定値以下の場合、同一の楽曲データがランダム再生されないように制御したため、ランダム再生の際、再生情報を記憶する再生情報記憶部の記憶容量を増大させることなく効率的にランダム再生を行うことができる。
【００１４】
その他、オーディオ装置の構成や制御手順等についても、特許請求の範囲に記載された本発明の要旨の範囲内において、種々の変形・変更が可能である。
【図面の簡単な説明】
【００１５】
【図１】本発明に係る車載オーディオ装置の構成を示すブロック図である。
【図２】記憶メディアに記憶されている楽曲ファイルを示す図である。
【図３】本発明に係る車載オーディオ装置のランダム再生処理動作を示すフローチャート（その１）である。
【図４】本発明に係る車載オーディオ装置のランダム再生処理動作を示すフローチャート（その２）である。
【図５】ランダム再生された楽曲データに関する楽曲情報が再生情報記憶部に記憶された状態を示す図である。
【図６】従来のランダム再生モードを備えるオーディオ装置のランダム再生処理のフローチャートである。
【符号の説明】
【００１６】
１：車載オーディオ装置
５：制御部
９：楽曲情報取得部
１１：楽曲数判定部
１３：ランダム選択部
１５：楽曲データ取得部
２５：楽曲情報記憶部
２７：再生情報記憶部
３１：記憶メディア
【図１】
2008243253.tif 000003
【図２】
2008243253.tif 000004
【図３】
2008243253.tif 000005
【図４】
2008243253.tif 000006
【図５】
2008243253.tif 000007
【図６】
2008243253.tif 000008